(57)【要約】【課題】  従来、容器内の液体を排出した液量を計量キャップ等で計量するときは両手で計量器と容器を持たなければならない問題がある。  そこで、本発明は簡易な専用計量器を色んな容器にも装着でき、片手で必要な液量を測定し排出する液体計量器を提供する。【解決手段】  ペットボトル等の容器の口部に装着して該容器を傾倒させて流出される液を計量する機能を持った槽と、該傾倒した容器を垂直に復帰させて計量した液を貯留する機能を持った槽と、その後、容器を前記とは別方向に傾倒させて前記貯留した液を排出する機能とを一体化したことを特徴とする液体計量器である。【選択図】図１
2012218808.tif 000002
【特許請求の範囲】
【請求項１】
ペットボトル等の容器の口部に装着して該容器を傾倒させて流出する液を計量する機能を持った槽と、該傾倒した容器を垂直に復帰させて計量した液を貯留する機能を持った槽と、その後、容器を前記とは別方向に傾倒させて前記貯留した液を排出する機能とを一体化したことを特徴とする液体計量器。
【請求項２】
ペットボトル等の容器の口部に請求項１記載の液体計量器を装着し、更に、該容器の口部に前記液体計量器に流出するノズルと他の外部に排出するノズルとを備えた蓋を装着することを特徴とする液体計量器。
【発明の詳細な説明】
【技術分野】
【０００１】  片手で容器内の液体を一定の量を計量して排出できる液体計量器に関するものである。
【背景技術】
【０００２】  液体を計量するとき、別の計量器に液体を注ぎ計量する場合が一般的であるが、１例として容器のキャップ内に計量室を設け容器を圧迫して一定の洗剤を計量室に押し出し目測にて計量した後、該計量室内の容液を排出するものが一般的である。
下記「特許文献１」で容器の口部を閉じるキャップと計量カップの機能を併用した計量キャップつき容器が提案されている。
更に「特許文献２」では前記の液だれの問題を解消した新たな手段が提案されている。
【先行技術文献】
【特許文献】
【０００３】
【特許文献１】実開平６−１４０５４号
【特許文献２】特開平８−２１７１１８号
【発明の概要】
【発明が解決しようとする課題】
【０００４】  しかし、これら従来の計量キャップは最初から容器に装着してあり、他の容器に装着して使用することを目的にしていない。更に、文献１、２は構造も複雑であり、他の容器に使用することは不可能である。
また、従来の計量キャップで計量するときは両手で計量器と容器を持たなければならない問題がある。
そこで、本発明は容器に装着して、片手で必要な液量を測定し排出する液体計量器を提供するものである。
【課題を解決するための手段】
【０００５】  上記の目的を達成する本願の手段は、
ペットボトル等の容器の口部に装着して該容器を傾倒させて流出される液を計量する機能を持った槽と、該傾倒した容器を垂直に復帰させて計量した液を貯留する機能を持った槽と、その後、容器を前記とは別方向に傾倒させて前記貯留した液を排出する機能とを一体化したことを特徴とする液体計量器である。【０００６】  上記の手段をより詳細に説明する。図３図４は本発明の第１実施例で計量する機能を持った槽（１ａ）と貯留する機能を持った槽（１ｂ）を別々に持つ本発明であるが  図３の様にペットボトル等の容器（１０）を傾倒して計量機能を持った槽（１ａ）に口部（１０ａ）から液が流出され計量した後  図４のように容器（１０）を垂直に戻すと液は貯留する機能を持った槽（１ｂ）に移動する。この時液が側面より漏れないように槽の両側を側板（２）で覆う。図３図４の計量槽（１ａ）と貯留槽（１ｂ）を一体化すると本発明の第２実施例の図２の様な形状となる。図３図４の様に計量槽（１ａ）と貯留槽（１ｂ）の形が箱状であれば図２の形状となるが  計量槽は計量槽への液流入方向の断面でみると円形，多角形、惰円またはその組み合わせの形をＬ字状に４分の１を切り抜いた形状となる。４分の１を切り抜いた部分が開口部（４）となる。容器（１０）がペットボトルの場合  最初液が肩部（１０ｂ）上部まで満たされているとき容器（１０）が垂直状態から約６０度以上傾倒すると液は容器から排出されるが  液が容器の底面部にしかないときは図５の様に約１４０度傾倒させなければ容器から液は排出されない。このようなとき  容器内の液が少なく容器を大きく傾けるときは、図５図６の様に液を受けるために張り出し部（５）を設けるか計量槽（１ａ）を容器の長軸方向に延ばさなければならない。この計量器を拡張したものは本発明の第３実施例である。
図１は本発明の第４実施例で図２の第２実施例の液体計量器をペットボトルに装着しノズル付きの蓋を容器に装着し  容器の口部（１０ａ）から流出する液を計量器の開口部（４）に導くノズル（１３）を設けたものである。このノズルにより張り出し部（５）は省略または縮小できるし計量槽（１ａ）の延長も不要となる。
次に、垂直に復帰した計量器（１）の貯留槽内の液を他の容器に排出するには、計量する際に傾倒した方向とは別の方向に容器を傾倒させなくてはならない、しかも、傾倒する際に容器（１０）内の液が洩れてはいけない。その為には、容器の形状にもよるがペットボトルでは液排出に６０度以上の傾きを要するため計量器の排出がそれ未満の傾きで、貯留槽内の液が全て排出される構造が貯留槽（１ｂ）に要求される。
この為には、貯留槽の上部に排出口（７）と排出管（８）が要求され、更に、槽内の液を全て排出するには貯留槽底面（３）から排出口（７）に向かって傾斜を設ける。例えば３０度の傾斜を設ければ容器を３０度傾倒させると、槽の底面は水平になり液が排出される。排出管（８）は図示しないが槽の底部の傾斜を考慮すれば両側に２個設けてもよい。
又、該液体計量器（１）を容器の口部（１０ａ）に装着（保持）する手段には、図示のように輪環方式（９）で口部に嵌め込む方式や、クリップ方式や、引っ掛け方式等で脱着する方法がある。【０００７】  上記のように計量機能を持った槽（１ａ）と貯留機能を持った槽（１ｂ）とを一体化した本液体計量器には上記のような機能及び構造が必要とされるが、該機能を持った構造の形状は第３実施例のように底面を屈曲状にした槽や、第２実施例のように底板（３）が略四角形をした槽を示すが、その他の形状として円柱、立方体、直方体、球等が考えられるので、本願は形状を特定するものではない。【０００８】  本願の液体計量器を使用する容器は図１図３に示す様なペットボトルのような形状をしたものや、縦長の筒状の容器等や、図１０のような計量カップ等がある。従って、上述の容器から計量器に注ぐ傾倒角度は容器の形状によって変わるので特定できない。【０００９】  目盛は槽の形状に応じて適宜に付ければよい。
図１図２図３図６図７図８のように計量槽に付けてもよいし貯留槽に付けてもよい。【００１０】  図１のように、容器の口部に両端にノズル（１３）を設けた蓋（１２）を装着すれば、計量槽に極端に張り出し部（５）を設ける必要がない。また、計量しないときは反対側のノズルを使用すれば便利である。
【発明の効果】
【００１１】（１）片手で容器を傾けるだけで、容器内の液体が規定量ずつ計量し排出可能なので、従来のように途中に計量スプーン等を使用する面倒さがなくなった。
（２）容器の出口に計量スプーンを設置したと同じ効果がある。
（３）計量しないときは計量室と違う方向に容器を傾ければ液体を排出できる。
（４）容器保持部（９）を図１のように輪環を容器の下部に装着すれば蓋も装着できる。
（５）図１に示すノズル付き蓋を使用すると、容器を傾倒して液体計量器に液を流出する際、又は他の容器等に排出する際に便利である。
【図面の簡単な説明】
【００１２】
【図１】本発明の第４実施例で図２の第２実施例の液体計量器をペットボトルに装着しノズル付きの蓋を容器に装着した斜視図である。
【図２】本発明の第２実施例で計量する機能を持った槽と貯留する機能を持った槽を一体化した斜視図である。
【図３】本発明の第１実施例で  計量する機能を持った槽と貯留する機能を持った槽を別々に持つ本発明を容器に装着して液を流し込んでいる断面図である。
【図４】図３の本発明を垂直に立てた斜視図である。
【図５】本発明の第３実施例で容器を約１４０度傾倒して液体を液体計量器に流出して計量している状態を示す断面図である。
【図６】図５の液体計量器を容器に装着した状態を示す斜視図である。
【図７】水のみに本発明を装着した状態を示す斜視図である。
【図８】計量キャップに装着した状態を示す斜視図である。
【発明を実施するための形態】
【００１３】  本発明はペットボトル等の容器（１０）の口部（１０ａ）に装着して該容器を傾倒して容器から流出される液を計量する機能を持った槽（１ａ）と、該傾倒した容器を垂直に復帰させて計量した液を貯留する機能を持った槽（１ｂ）と、その後、容器を前記とは別方向に傾倒させて前記貯留した液を排出する機能とを一体化した液体計量器（１）である。
【実施例】
【００１４】  肩部を持つペットボトルでは  図１のように容器の蓋（１２）にノズル（１３）を設け計量器側のノズル（１３）を開口部近くまで延ばせば計量器をコンパクトに作成できる。口径が小さい容器やペットボトルでも静かに液を計量器に注ぐときは  図５図６の様に張り出し部（５）を設けるか計量槽（１ａ）を大きくすれば良い。
貯留槽（１ｂ）は排出口（７）に向かって図２のように底板（３）が傾斜をもち計量器の排出口方向への傾きで液が流れる様にしてある。排出管（８）は筒状でも溝状でもよい。
尚、  該液体計量器を容器の口部に装着するために脱着可能な輪環（９）を設けた。
本発明は第１実施例から第３実施例のいずれを選択してもよく  第４実施例は第２実施例をノズル（１３）と組み合わせたものである。【００１５】  図７は本願の他の使用参考図で、病人用の水のみに装着できるように開口部が保持部を兼ねており  保持部に水のみの先端を挿入して計量器内に必要な水を一度貯めてから病人に水を補給すれば必要以上の水を与えることなく誤嚥を防ぐことができる。【００１６】  図８は既存の２００ｃｃの調理用透明計量カップに５ｃｃ、１５ｃｃを計量できるように本発明を一体化した例である。カップの上方から液体を流し込めるように本発明を設けてある。容器を倒したとき計量カップの液体を計り易いように計量槽（１ａ）を深くし容器を水平にしたとき計りすぎた液体を容器に戻し易いように貯留槽（１ｂ）を浅くなるようにしてある。排水し易いように計量器の左右に排出口が設けてある。
計量カップの口が広く計量器とカップの液面が近い時は計量器の排水が完了するまえにカップの液体が流出し易い為、計量カップの口を狭くするかカップの深さを深くするのが望ましい。
【符号の説明】
【００１７】  １  液体計量室
１ａ計量機能を持った槽
１ｂ貯留機能を持った槽
２  側板
３  底部
４  開口部
５  張り出し部
６  目盛り
７  排出口
８  排出管
９  保持部（輪環）
１０  容器
１０ａ容器の口部
１０ｂ容器の肩部
１１  液
１２  蓋
１３  蓋のノズル
【図１】
2012218808.tif 000003
【図２】
2012218808.tif 000004
【図３】
2012218808.tif 000005
【図４】
2012218808.tif 000006
【図５】
2012218808.tif 000007
【図６】
2012218808.tif 000008
【図７】
2012218808.tif 000009
【図８】
2012218808.tif 000010